(57)【要約】      （修正有）【課題】簡素な構造により上面側または下面側へ湾曲させることが可能であり、かつ人が乗ったり歩いたりしても分解することがないグレーチングを提供する。【解決手段】所定間隔で並設され、上端に踏み部を、踏み部の下側に脚部をそれぞれ備え、さらに脚部の長手方向の少なくとも２箇所に、並設方向に開口された貫通孔２３を備える複数の棒状のメインバー２と、棒状のメインバー間に、貫通孔の位置に合わせてそれぞれ配設される中空部を有する筒状のスペーサー３と、棒状のメインバーの貫通孔およびスペーサー３の中空部に挿通され、複数の棒状のメインバーおよびスペーサーを一体に連結するゴム紐４とを有する。【選択図】図１
0003205637.tif 000002
【実用新案登録請求の範囲】
【請求項１】
所定間隔で並設される複数の棒状の本体部であり、上端に踏み部を、前記踏み部の下側に脚部をそれぞれ備え、さらに前記脚部の長手方向の少なくとも２箇所に当該複数の棒状の本体部の並設方向に開口された貫通孔を備える複数の棒状の本体部と、
前記複数の棒状の本体部間に、前記貫通孔の位置に合わせてそれぞれ配設される中空部を有する筒状のスペーサーと、
前記複数の棒状の本体部の貫通孔および前記スペーサーの中空部に挿通され、前記複数の棒状の本体部および前記スペーサーを一体に連結する弾性紐と
を有するグレーチング。
【請求項２】
前記弾性紐の両端部に装着される止め具であり、前記弾性紐の両端部がそれぞれ挿入される中空部と、前記中空部内に挿入された前記弾性紐をねじにより固定するためのねじ孔とを有する止め具を有する請求項１記載のグレーチング。
【請求項３】
前記踏み部は、上面に前記複数の棒状の本体部の並設方向の全長に渡る凹溝が、長手方向の全体に渡って所定間隔で形成されたものである請求項１または２に記載のグレーチング。
【考案の詳細な説明】
【技術分野】
【０００１】
本考案は、浴室、厨房やプールサイドなどの排水溝の蓋として用いられるグレーチングに関する。
【背景技術】
【０００２】
従来、浴室、厨房やプールサイドなどの排水溝の蓋としてグレーチングが用いられている。例えば、特許文献１には、長さ方向の端部から見た端面形状がＴ字型を呈し長さ方向の少なくとも２箇所においてそれぞれ一対のジョイント部が形成された合成樹脂製のバー状の本体部と、ジョイント部に埋め込まれる弾性合成樹脂により作られたジョイント部材とからなり、このジョイント部は円筒状の繋ぎ部７と両端部の鍔部とを一体に備え、このジョイント部材の端部の鍔部をジョイント部の下端開口の凹部に圧入させることにより多数本の本体部を繋ぎ合わせて構成したグレーチングが開示されている。
【０００３】
また、特許文献２には、所要数のメインバーを並設してジョイントによって連結することにより構成したグレーチングであって、メインバーの脚部には長手方向に所要数の掛合穴が設けられ、ジョイントが、弾性材料で所要長さに形成されており、長手方向の両端にはメインバーの各掛合穴に差し込み、掛合穴の穴縁部と掛止できる掛止部を備えた差込部を有しており、各差込部の間の中間部は、掛合穴の径大にまたは太く形成されており、隣り合うメインバーの対向する脚部の各掛合穴に、ジョイントの差込部を差し込み掛合してメインバーが連結されているグレーチングが開示されている。
【０００４】
また、このグレーチングでは、各メインバーをつないでいるジョイントが、中間部の接続部が四角錐台状であり、差込部側へ向け窄まって細くなっているので、掛合穴の穴縁部と緊密に接触せず、双方の間の隙間が大きくなって遊びを有するため、グレーチングを上面側または下面側へ丸めるときに、メインバーが、隣接するメインバーに対してより大きな角度をもって姿勢を変えることができるようになっている。これにより、排水溝の内部を清掃する際には、グレーチングを上面側へ丸めることで排水溝から取り外すことなく行うことが可能となっている。
【先行技術文献】
【特許文献】
【０００５】
【特許文献１】特開２００１−２８８８０６号公報
【特許文献２】特開２０１３−１４９１８号公報
【考案の概要】
【考案が解決しようとする課題】
【０００６】
前述の特許文献１に開示のグレーチングでは、その組立の際に、合成樹脂製のバー状の本体部の長さ方向の少なくとも２箇所において形成されたジョイント部に弾性合成樹脂により作られたジョイント部材の端部の鍔部を圧入させることにより本体部同士の接続を行うが、このグレーチングの上に人が乗ったり、歩いたりした際に、ジョイント部材の端部の鍔部が抜けないようにするためには、強い力で圧入されるようにしなければならず、組立作業が大変である。
【０００７】
また、特許文献２に開示のグレーチングにおいても同様にジョイントが弾性材料で形成されており、このジョイントの差込部を差し込み掛合してメインバーを連結しているため、ジョイントが抜けないようにするためには強い力で圧入させるようにしなければならない。さらにこのジョイントは、中間部の接続部が四角錐台状であり、差込部側へ向け窄まって細くなった複雑な形状となっているため、ジョイントの製造コストが高くなるという問題がある。
【０００８】
そこで、本考案においては、簡素な構造により上面側または下面側へ湾曲させることが可能であり、かつ人が乗ったり歩いたりしても分解することがないグレーチングを提供することを目的とする。
【課題を解決するための手段】
【０００９】
本考案のグレーチングは、所定間隔で並設される複数の棒状の本体部であり、上端に踏み部を、踏み部の下側に脚部をそれぞれ備え、さらに脚部の長手方向の少なくとも２箇所に当該複数の棒状の本体部の並設方向に開口された貫通孔を備える複数の棒状の本体部と、複数の棒状の本体部間に、貫通孔の位置に合わせてそれぞれ配設される中空部を有する筒状のスペーサーと、複数の棒状の本体部の貫通孔およびスペーサーの中空部に挿通され、複数の棒状の本体部およびスペーサーを一体に連結する弾性紐とを有するものである。
【００１０】
本考案のグレーチングでは、所定間隔で並設される複数の棒状の本体部を筒状のスペーサーを介して一体に連結する弾性紐が伸びることによって、複数の棒状の本体部と筒状のスペーサーとの間に隙間が形成されるので、上面側または下面側へ湾曲させることが可能である。また、本考案のグレーチングでは、所定間隔で並設される複数の棒状の本体部が、筒状のスペーサーを介して弾性紐により一体に連結された構造であるため、非常に簡素であり、組立の際に強い力で圧入する必要もない。また、本考案のグレーチングは、複数の棒状の本体部が弾性紐により一体に連結されたものであるため、複数の棒状の本体部がそれぞれ個別に分離することがなく、人が乗ったり歩いたりしても分解することがない。
【００１１】
ここで、弾性紐の両端部は、弾性紐に結び目を作ったり、弾性紐が本体部の貫通孔から抜けないようにピンで留めたりすることも可能であるが、弾性紐の両端部に装着される止め具であり、弾性紐の両端部がそれぞれ挿入される中空部と、中空部内に挿入された弾性紐をねじにより固定するためのねじ孔とを有する止め具を有することが望ましい。これにより、弾性紐の両端部にそれぞれ止め具を装着し、ねじにより弾性紐を固定することが可能となる。
【００１２】
また、ねじは、頭部を有さない六角穴付き止めねじであることが望ましい。これにより、本考案のグレーチングの最も外側に通常のねじのように頭部が突出しないので、このグレーチングを排水溝に装着する際にねじが邪魔になることがない。
【００１３】
また、踏み部は、上面に複数の棒状の本体部の並設方向の全長に渡る凹溝が、長手方向の全体に渡って所定間隔で形成されたものであることが望ましい。これにより、踏み部の上面の水捌けが良くなる。
【考案の効果】
【００１４】
（１）所定間隔で並設される複数の棒状の本体部であり、上端に踏み部を、踏み部の下側に脚部をそれぞれ備え、さらに脚部の長手方向の少なくとも２箇所に当該複数の棒状の本体部の並設方向に開口された貫通孔を備える複数の棒状の本体部と、複数の棒状の本体部間に、貫通孔の位置に合わせてそれぞれ配設される中空部を有する筒状のスペーサーと、複数の棒状の本体部の貫通孔およびスペーサーの中空部に挿通され、複数の棒状の本体部およびスペーサーを一体に連結する弾性紐とを有する構成により、簡素な構造により上面側または下面側へ湾曲させることが可能であり、かつ人が乗ったり歩いたりしても分解することがないグレーチングが得られる。
【００１５】
（２）弾性紐の両端部に装着される止め具であり、弾性紐の両端部がそれぞれ挿入される中空部と、中空部内に挿入された弾性紐をねじにより固定するためのねじ孔とを有する止め具を有する構成により、弾性紐の両端部にそれぞれ止め具を装着し、ねじにより弾性紐を固定して、複数の棒状の本体部を筒状のスペーサーとともに容易に一体に連結することが可能となる。
【００１６】
（３）ねじが頭部を有さない六角穴付き止めねじである構成により、グレーチングを排水溝に装着する際にねじが邪魔になることがなく、グレーチングの装着が容易となる。
【００１７】
（４）踏み部が上面に複数の棒状の本体部の並設方向の全長に渡る凹溝が、長手方向の全体に渡って所定間隔で形成されたものである構成により、踏み部の上面の水捌けが良くなり、踏み部の上面の全体で滑り止め効果を発揮することができる。
【図面の簡単な説明】
【００１８】
【図１】本考案の実施の形態におけるグレーチングの分解斜視図である。
【図２】図１のグレーチングの平面図である。
【図３】図１のグレーチングの正面図である。
【図４】図１のグレーチングの底面図である。
【図５】図２のＡ−Ａ断面図である。
【図６】図１のグレーチングの右側面図である。
【図７】図２のＢ−Ｂ断面図である。
【図８】図１のグレーチングを上面側へ湾曲させた状態を示す斜視図である。
【図９】図１のグレーチングを上面側へ湾曲させた状態を示す正面図である。
【考案を実施するための形態】
【００１９】
図１は本考案の実施の形態におけるグレーチングの分解斜視図、図２は図１のグレーチングの平面図、図３は図１のグレーチングの正面図、図４は図１のグレーチングの底面図、図５は図２のＡ−Ａ断面図、図６は図１のグレーチングの右側面図、図７は図２のＢ−Ｂ断面図である。
【００２０】
図１〜図７に示すように、本考案の実施の形態におけるグレーチング１は、所定間隔で並設される複数の棒状の本体部としてのメインバー２と、複数のメインバー２間に配設される複数のスペーサーとしてのカラー３と、複数のメインバー２および複数のカラー３を一体に連結する弾性紐としてのゴム紐４と、ゴム紐４の両端部に装着される止め具としての止め金具５と、止め金具５にゴム紐４を固定するねじとしての固定ビス６とを有する。
【００２１】
メインバー２は、上端に踏み部２０を、踏み部２０の下側に脚部２１をそれぞれ備え、長手方向Ｘの端面から見て略Ｔ字状断面（図５参照。）を有する。本実施形態においては、メインバー２は合成樹脂製である。踏み部２０には、上面にメインバー２の並設方向Ｙの全長に渡る凹溝２２が、長手方向Ｘの全体に渡って所定間隔で形成されている。脚部２１には、長手方向の両端部寄りの２箇所の位置に並設方向Ｙに開口された貫通孔２３を備える。貫通孔２３の内径は、ゴム紐４が挿通可能な大きさである。
【００２２】
カラー３は、複数のメインバー２間に、貫通孔２３の位置に合わせてそれぞれ配設される中空部３０を有する筒状体である。本実施形態においては、カラー３は合成樹脂製である。カラー３の外径は貫通孔２３より大きく、中空部３０の内径はゴム紐４が挿通可能な大きさである。カラー３の全長（並設方向Ｙの長さ）は、並設されるメインバー２間に形成する隙間に応じて設定される。
【００２３】
ゴム紐４は、複数のメインバー２の貫通孔２３およびカラー３の中空部３０に挿通され、複数のメインバー２およびカラー３を一体に連結する紐状の弾性体である。本実施形態においては、ゴム紐４としては、耐水性、耐薬品性や耐候性などに優れるエチレン・プロピレン・ジエンゴム（ＥＰＤＭ）からなる紐を使用する。
【００２４】
止め金具５は、ゴム紐４の両端部がそれぞれ挿入される中空部５０と、中空部５０内に挿入されたゴム紐４を固定ビス６により固定するためのねじ孔５１とを有する。本実施形態においては、止め金具５はステンレス製である。止め金具５の外径は貫通孔２３より大きく、中空部５０の内径はゴム紐４が挿通可能な大きさである。固定ビス６は、頭部を有さない六角穴付き止めねじ、いわゆるイモネジである。本実施形態においては、固定ビス６はステンレス製である。
【００２５】
上記構成のグレーチング１の組み立ては、２本のゴム紐４をそれぞれメインバー２の貫通孔２３およびカラー３の中空部３０に交互に通していき、ゴム紐４の端部を止め金具５の中空部５０に挿入して固定ビス６をねじ孔５１にねじ込む。これにより、ゴム紐４の端部に止め金具５が固定され、カラー３を介して所定間隔で並設される複数のメインバー２が一体に連結される。
【００２６】
上記構成のグレーチング１では、所定間隔で並設される複数のメインバー２をカラー３介して一体に連結するゴム紐４が伸びることによって、図８および図９に示すように、複数のメインバー２とカラー３との間に隙間３０が形成され、上面側へ湾曲させることが可能である。また同様に、このグレーチング１では、下面側へも湾曲させることが可能である。
【００２７】
また、このグレーチング１では、所定間隔で並設される複数のメインバー２が、カラー３を介してゴム紐４により一体に連結された構造であるため、非常に簡素であり、組立の際に強い力で圧入する必要もない。また、このグレーチング１は、複数のメインバー２がゴム紐４により一体に連結されたものであるため、複数のメインバー２がそれぞれ個別に分離することがなく、人が乗ったり歩いたりしても分解することがない。
【００２８】
また、本実施形態におけるグレーチング１では、ゴム紐４の両端部に止め金具５を装着することで固定ビス６により容易にゴム紐４を固定することが可能であるが、ゴム紐４の両端部は、ゴム紐４に結び目を作ったり、ゴム紐４がメインバー２の貫通孔から抜けないようにピンで留めたりすることも可能である。また、本実施形態におけるグレーチング１では、固定ビス６が、頭部を有さない六角穴付き止めねじであるため、グレーチング１の最も外側に通常のねじのように頭部が突出しないので、このグレーチング１を排水溝に装着する際に固定ビス６が邪魔になることがない。
【００２９】
また、本実施形態においては、踏み部２０が上面に複数のメインバー２の並設方向Ｙの全長に渡る凹溝２２が、長手方向Ｘの全体に渡って所定間隔で形成されたものであるため、踏み部２０の上面の水捌けが良く、踏み部２０の上面の全体で滑り止め効果を発揮することができる。
【００３０】
なお、本実施形態においては、脚部２１の両端部寄りの２箇所の位置に貫通孔２３を備えた構成であるが、これは３箇所以上とすることができる。すなわち、少なくとも２箇所に貫通孔２３を有するものであれば、グレーチング１がゴム紐４の周りで回転することを防止することが可能である。
【産業上の利用可能性】
【００３１】
本考案のグレーチングは、浴室、厨房やプールサイドなどの排水溝の蓋として有用である。
【符号の説明】
【００３２】
１  グレーチング
２  メインバー
２０  踏み部
２１  脚部
２２  凹溝
２３  貫通孔
３  カラー
３０  中空部
４  ゴム紐
５  止め金具
５０  中空部
５１  ねじ孔
６  固定ビス
【図１】
0003205637.tif 000003
【図２】
0003205637.tif 000004
【図３】
0003205637.tif 000005
【図４】
0003205637.tif 000006
【図５】
0003205637.tif 000007
【図６】
0003205637.tif 000008
【図７】
0003205637.tif 000009
【図８】
0003205637.tif 000010
【図９】
0003205637.tif 000011